(57)【要約】【課題】天井に養生シートを固定又は撤去する際の作業者の負担を軽減することが可能となり、発生する騒音を低減することができる鋲の打込み装置を提供する。【解決手段】本発明を適用した鋲の打込み装置１は、内部に空間Ｖが形成された本体部２と、本体部２の空間Ｖ内に相対移動可能に挿通される内側シャフト３と、内側シャフト３の基端部３ｂ側に取り付けられる棒状の取手部５を備え、本体部２は、本体部２の空間Ｖに連続して設けられるとともに鋲７を収容可能な収容部２２を有し、内側シャフト３の先端部３ａを本体部２の先端部２ａから離間させる方向に相対移動させることで、収容部２２に収容された鋲７が空間Ｖに装填されるとともに内側シャフト３の先端部３ａ側に配置され、かつ、内側シャフト３の先端部３ａを本体部２の先端部２ａに近づける方向に相対移動させることで、空間Ｖに装填された鋲７が本体部２の先端部２ａから突出されることを特徴とする。【選択図】図３
2019082072.tif 000002
【特許請求の範囲】
【請求項１】
鋲を天井に打ち込むために用いられる鋲の打込み装置であって、
内部に空間が形成された本体部と、
前記本体部の前記空間内に相対移動可能に挿通される内側シャフトと、
前記内側シャフトの基端部側に取り付けられる棒状の取手部を備え、
前記本体部は、
前記本体部の前記空間に連続して設けられるとともに鋲を収容可能な収容部を有し、
前記内側シャフトの先端部を前記本体部の先端部から離間させる方向に相対移動させることで、前記収容部に収容された前記鋲が前記空間に装填されるとともに前記内側シャフトの先端部側に配置され、
かつ、前記内側シャフトの先端部を前記本体部の先端部に近づける方向に相対移動させることで、前記空間に装填された前記鋲が前記本体部の先端部から突出されること
を特徴とする鋲の打込み装置。
【請求項２】
前記本体部の先端部から突出されるとともに前記本体部の先端部を囲う筒状の保護部を更に備え、
前記保護部は、前記本体部に相対移動可能に取り付けられること
を特徴とする請求項１記載の鋲の打込み装置。
【請求項３】
前記保護部は、養生シートを挟み込むための挟み込み部を有すること
を特徴とする請求項２記載の鋲の打込み装置。
【請求項４】
前記取手部は、前記鋲の頭部を係止するための係止部を有すること
を特徴とする請求項１〜３の何れか１項記載の鋲の打込み装置。
【請求項５】
養生シートを固定するための鋲を天井から撤去するために用いられる鋲の撤去装置であって、
棒状の取手部を備え、
前記取手部は、鋲の頭部を係止するための係止部を有すること
を特徴とする鋲の撤去装置。
【請求項６】
養生シートを天井に固定するための鋲であって、
請求項４記載の鋲の打込み装置又は請求項５記載の鋲の撤去装置における前記取手部の前記係止部に係止させるための被係止部が頭部に形成されること
を特徴とする鋲。
【請求項７】
養生シートを天井に固定するための養生シートの固定方法であって、
内部に空間が形成された本体部と、前記本体部の前記空間に相対移動可能に挿通される内側シャフトと、前記内側シャフトの基端部側に取り付けられる棒状の取手部とを備える鋲の打込み装置を用いて、前記内側シャフトの先端部を前記本体部の先端部から離間させる方向に相対移動することで、鋲を収容可能な収容部に収容された前記鋲を前記空間に装填するとともに前記内側シャフトの先端部側に配置し、
前記内側シャフトの先端部を前記本体部の先端部に近づける方向に相対移動することで、前記空間に装填した前記鋲を前記本体部の先端部から突出させ、
前記本体部の先端部から突出させた前記鋲に養生シートを取り付け、
前記養生シートを取り付けた前記鋲を天井に押し込むこと
を特徴とする養生シートの固定方法。
【請求項８】
前記空間に装填した前記鋲を前記本体部の先端部から突出させた後に、
前記養生シートの端部側を重ねて形成した重なり部を前記鋲の先端部に取り付け、
前記養生シートの前記重なり部を取り付けた前記鋲を天井に押し込むこと
を特徴とする請求項７記載の養生シートの固定方法。
【請求項９】
天井に固定された養生シートを撤去するための養生シートの撤去方法であって、
内部に空間が形成された本体部と、前記本体部の前記空間に相対移動可能に挿通される内側シャフトと、鋲の頭部を係止するための係止部を有するとともに前記内側シャフトの基端部側に取り付けられる棒状の取手部を備える鋲の打込み装置を用いて、養生シートを天井に固定した鋲の頭部に前記係止部を係止させた状態で、天井から前記鋲を取り外すこと
を特徴とする養生シートの撤去方法。
【請求項１０】
天井に固定された養生シートを撤去するための養生シートの撤去方法であって、
鋲の頭部を係止するための係止部を有する棒状の取手部を備える鋲の撤去装置を用いて、養生シートを天井に固定した鋲の頭部に前記係止部を係止させた状態で、天井から前記鋲を取り外すこと
を特徴とする養生シートの撤去方法。
【発明の詳細な説明】
【技術分野】
【０００１】
本発明は、鋲の打込み装置、鋲の撤去装置、鋲、養生シートの固定方法及び養生シートの撤去方法に関する。
【背景技術】
【０００２】
オフィスや住宅等の建築物の室内空間の一部を補修する工事は、オフィスワーカーや居住者等がその室内空間を使用しながら行われる。このため、工事に際して発生する埃や粉塵が居住者等の空間に飛散するのを防止するために、室内空間を工事側と居住側とに仕切る、いわゆる区画養生が行われる。従来の区画養生方法は、例えば、プラスチックやビニール等の養生板や養生シートを粘着テープやハンドタッカー等により天井等に固定して行われる。
【０００３】
しかしながら、従来の区画養生方法において、養生シートを粘着テープにより固定した場合には、粘着テープを剥がした際にテープ跡が残存してしまう虞があり、残存したテープ跡を作業者等が撤去する必要があるため、作業者の負担が大きいという問題点があった。
【０００４】
また、従来の区画養生方法において、養生シートをハンドタッカーにより固定した場合には、ハンドタッカーのトリガーを引くことでハンドタッカーの内部に配置されたバネの弾性力を針に伝達させて、養生シートを固定するための針を天井に打ち付けるため、養生シートを天井に固定する際に騒音が発生してしまうという問題点があった。また、ハンドタッカーのトリガーを引く際には所定の力を要することに加え、脚立作業により所定の重量を有するハンドタッカーを天井に向けた状態で作業を行う必要があるため、作業者の負担が大きいという問題点があった。
【０００５】
また、設置、解体が簡単にできる養生方法として、特許文献１に開示された養生方法が提案されている。特許文献１に開示された養生方法は、室内の床面と天井面との離間間隔よりも長い寸法を有し且つ可撓性を有する複数の弾性柱を該床面と天井面との間で突っ張ると共に、該複数の弾性柱のそれぞれの上端部と天井面との間に、床面と天井面との離間間隔よりも長い寸法を有し且つ可撓性を有する養生部材の上部を挟み込んで垂下させて室内空間を仕切るように構成したことを特徴とする。しかしながら、特許文献１に開示された養生方法は、長尺の弾性柱を現場に持ち込む必要があり、作業者の負担が大きいという問題点があった。
【先行技術文献】
【特許文献】
【０００６】
【特許文献１】特開２０１０−２４６９２号公報
【発明の概要】
【発明が解決しようとする課題】
【０００７】
そこで、本発明は、上述した問題点に鑑みて案出されたものであり、その目的とするところは、天井に養生シートを固定又は撤去する際の作業者の負担を軽減することが可能となり、発生する騒音を低減することができる鋲の打込み装置、鋲の撤去装置、鋲、養生シートの固定方法及び養生シートの撤去方法を提供することにある。
【課題を解決するための手段】
【０００８】
第１発明に係る鋲の打込み装置は、鋲を天井に打ち込むために用いられる鋲の打込み装置であって、内部に空間が形成された本体部と、前記本体部の前記空間内に相対移動可能に挿通される内側シャフトと、前記内側シャフトの基端部側に取り付けられる棒状の取手部を備え、前記本体部は、前記本体部の前記空間に連続して設けられるとともに鋲を収容可能な収容部を有し、前記内側シャフトの先端部を前記本体部の先端部から離間させる方向に相対移動させることで、前記収容部に収容された前記鋲が前記空間に装填されるとともに前記内側シャフトの先端部側に配置され、かつ、前記内側シャフトの先端部を前記本体部の先端部に近づける方向に相対移動させることで、前記空間に装填された前記鋲が前記本体部の先端部から突出されることを特徴とする。
【０００９】
第２発明に係る鋲の打込み装置は、第１発明において、前記本体部の先端部から突出されるとともに前記本体部の先端部を囲う筒状の保護部を更に備え、前記保護部は、前記本体部に相対移動可能に取り付けられることを特徴とする。
【００１０】
第３発明に係る鋲の打込み装置は、第２発明において、前記保護部は、養生シートを挟み込むための挟み込み部を有することを特徴とする。
【００１１】
第４発明に係る鋲の打込み装置は、第１発明〜第３発明において、前記取手部は、前記鋲の頭部を係止するための係止部を有することを特徴とする。
【００１２】
第５発明に係る鋲の撤去装置は、養生シートを固定するための鋲を天井から撤去するために用いられる鋲の撤去装置であって、棒状の取手部を備え、前記取手部は、鋲の頭部を係止するための係止部を有することを特徴とする。
【００１３】
第６発明に係る鋲は、養生シートを天井に固定するための鋲であって、第４発明に係る鋲の打込み装置又は第５発明に係る鋲の撤去装置における前記取手部の前記係止部に係止させるための被係止部が頭部に形成されることを特徴とする。
【００１４】
第７発明に係る養生シートの固定方法は、養生シートを天井に固定するための養生シートの固定方法であって、内部に空間が形成された本体部と、前記本体部の前記空間に相対移動可能に挿通される内側シャフトと、前記内側シャフトの基端部側に取り付けられる棒状の取手部とを備える鋲の打込み装置を用いて、前記内側シャフトの先端部を前記本体部の先端部から離間させる方向に相対移動することで、鋲を収容可能な収容部に収容された前記鋲を前記空間に装填するとともに前記内側シャフトの先端部側に配置し、前記内側シャフトの先端部を前記本体部の先端部に近づける方向に相対移動することで、前記空間に装填した前記鋲を前記本体部の先端部から突出させ、前記本体部の先端部から突出させた前記鋲に養生シートを取り付け、前記養生シートを取り付けた前記鋲を天井に押し込むことを特徴とする。
【００１５】
第８発明に係る養生シートの固定方法は、第７発明において、前記空間に装填した前記鋲を前記本体部の先端部から突出させた後に、前記養生シートの端部側を重ねて形成した重なり部を前記鋲の先端部に取り付け、前記養生シートの前記重なり部を取り付けた前記鋲を天井に押し込むことを特徴とする。
【００１６】
第９発明に係る養生シートの撤去方法は、天井に固定された養生シートを撤去するための養生シートの撤去方法であって、内部に空間が形成された本体部と、前記本体部の前記空間に相対移動可能に挿通される内側シャフトと、鋲の頭部を係止するための係止部を有するとともに前記内側シャフトの基端部側に取り付けられる棒状の取手部を備える鋲の打込み装置を用いて、養生シートを天井に固定した鋲の頭部に前記係止部を係止させた状態で、天井から前記鋲を取り外すことを特徴とする。
【００１７】
第１０発明に係る養生シートの撤去方法は、天井に固定された養生シートを撤去するための養生シートの撤去方法であって、鋲の頭部を係止するための係止部を有する棒状の取手部を備える鋲の撤去装置を用いて、養生シートを天井に固定した鋲の頭部に前記係止部を係止させた状態で、天井から前記鋲を取り外すことを特徴とする。
【発明の効果】
【００１８】
第１発明〜第４発明によれば、内側シャフトの先端部を本体部の先端部から離間させる方向に相対移動させることで、収容部に収容された鋲が空間に装填されるとともに内側シャフトの先端部側に配置され、かつ、内側シャフトの先端部を本体部の先端部に近づける方向に相対移動させることで、空間に装填された鋲が本体部の先端部から突出される。これにより、第１発明〜第４発明によれば、脚立作業をすることなく、鋲を天井に押し込むだけで養生シートを固定することができ、天井に養生シートを固定する際の騒音を著しく抑制することが可能となる。
【００１９】
また、第１発明〜第４発明によれば、養生シートと鋲とを用いることで区画養生を行うことができ、従来の養生方法のような弾性柱を用いる必要がないため、作業者の負担を軽減することが可能となる。また、第１発明〜第４発明によれば、従来のハンドタッカーのように針を打ち付けるためにトリガーを引く動作を行うことがないため、作業者の負担を軽減することが可能となる。
【００２０】
第１発明〜第４発明によれば、内側シャフトの基端部側に取り付けられる棒状の取手部を備える。これにより、第１発明〜第４発明によれば、作業者が取手部を握持した状態で、鋲を天井に押し込むだけで養生シートを固定することができる。また、第１発明〜第４発明によれば、作業者の身長よりも高い位置に配置される天井に鋲を押し込む際に、脚立作業をすることなく作業者の負担を軽減することが可能となる。
【００２１】
第２発明〜第４発明によれば、本体部の先端部から突出されるとともに本体部の先端部を囲う筒状の保護部を備え、保護部は、本体部に相対移動可能に取り付けられる。これにより、第２発明〜第４発明によれば、鋲の先端部が外側に露出する長さを短く又は無くすことができ、作業者が鋲の先端部に養生シートを取り付ける際に、作業者が鋲の先端部に触れることによる怪我を抑制することが可能となる。
【００２２】
第３発明〜第４発明によれば、養生シートを挟み込むための挟み込み部を有する保護部を備える。これにより、第３発明〜第４発明によれば、養生シートを保護部の挟み込み部に挟み込むことができ、鋲の先端部に養生シートを取り付ける際や鋲を天井に押し込む際に、鋲の先端部から養生シートが脱落するのを抑制することが可能となる。
【００２３】
第４発明によれば、取手部に鋲の頭部を係止するための係止部を有することにより、養生シートを天井に固定した鋲の頭部に係止部を係止させた状態で、天井から鋲を取り外すだけでよく、養生シートの撤去を容易に行うことができ、作業者の負担を軽減することが可能となる。また、第４発明によれば、鋲の頭部に係止部を係止する作業を容易に行うことができ、その結果、作業者の負担を軽減させることが可能となる。
【００２４】
第４発明によれば、養生シートの固定と撤去とを１台で行うことができ、施工の利便性を向上させることが可能となる。
【００２５】
第５発明によれば、取手部に鋲の頭部を係止するための係止部を有することにより、養生シートを天井に固定した鋲の頭部に係止部を係止させた状態で、脚立作業をすることなく、天井から鋲を取り外すだけでよく、養生シートの撤去を容易に行うことができ、作業者の負担を軽減することが可能となる。また、第５発明によれば、鋲の頭部に係止部を係止する作業を容易に行うことができ、その結果、作業者の負担を軽減させることが可能となる。
【００２６】
第６発明によれば、養生シートを天井に固定した鋲の頭部に被係止部を有することで、被係止部に係止部を係止する作業を容易に行うことが可能となる。また、第６発明によれば、被係止部に係止部を係止させた状態で、取手部を下方に移動させることにより係止部に作用させた下方への引き抜く力を鋲に十分に伝達させることができる。このため、第６発明によれば、天井から鋲を取り外す作業をより容易に行うことができ、作業者の負担を軽減させることが可能となる。
【００２７】
第７発明〜第８発明によれば、鋲の打込み装置を用いて、脚立作業をすることなく、養生シートを取り付けた鋲を天井に押し込むだけで天井に養生シートを固定することができ、天井に養生シートを固定する際の騒音を著しく抑制することが可能となる。
【００２８】
また、第７発明〜第８発明によれば、養生シートと鋲とを用いることで脚立作業をすることなく区画養生を行うことができ、従来の養生方法のような弾性柱を用いる必要がないため、作業者の負担を軽減することが可能となる。また、第７発明〜第８発明によれば、従来のハンドタッカーのように針を打ち付けるためにトリガーを引く動作を行うことがないため、作業者の負担を軽減することが可能となる。
【００２９】
第８発明によれば、空間に装填した鋲を本体部の先端部から突出させた後に、養生シートの端部側を重ねて形成した重なり部を鋲の先端部に取り付け、養生シートの重なり部を取り付けた鋲を天井に押し込む。これにより、第８発明によれば、鋲を介して固定された養生シートの重なり部と天井との間に隙間が生じづらくなり、補修工事等の工事により発生する埃、粉塵や騒音が区画の内側から区画の外側に飛散等するのをより効果的に防止することが可能となる。
【００３０】
第９発明によれば、鋲の打込み装置を用いて、養生シートを天井に固定した鋲の頭部に係止部を係止させた状態で、脚立作業をすることなく天井から鋲を取り外すだけでよく、養生シートの撤去を容易に行うことができ、作業者の負担を軽減することが可能となる。また、第９発明によれば、養生シートを天井に固定した鋲の頭部に係止部を係止させた状態で鋲を引き抜けばよいため、天井から鋲を取り外す際の騒音を著しく抑制することが可能となる。
【００３１】
第１０発明によれば、鋲の撤去装置を用いて、養生シートを天井に固定した鋲の頭部に係止部を係止させた状態で、脚立作業をすることなく天井から鋲を取り外すだけでよく、養生シートの撤去を容易に行うことができ、作業者の負担を軽減することが可能となる。また、第１０発明によれば、養生シートを天井に固定した鋲の頭部に係止部を係止させた状態で鋲を引き抜けばよいため、天井から鋲を取り外す際の騒音を著しく抑制することが可能となる。
【図面の簡単な説明】
【００３２】
【図１】（ａ）は、養生シートが鋲を介して天井に固定された室内を示す立面図であり、（ｂ）は、（ａ）の１Ａ−１Ａ断面図である。
【図２】本発明を適用した鋲の打込み装置を示す斜視図である。
【図３】本発明を適用した鋲の打込み装置の本体部と、内側シャフトと、保護部とを主に示す断面図である。
【図４】図３の３Ａ−３Ａ断面図である。
【図５】（ａ）は、本発明を適用した鋲の打込み装置の内側シャフトと、取手部とを主に示す断面図であり、（ｂ）は、（ａ）の５Ａ−５Ａ断面図である。
【図６】本発明を適用した養生シートの固定方法の開始時の状態を示す図である。
【図７】本発明を適用した養生シートの固定方法において、本体部の空間に鋲を装填する手順を説明するための図である。
【図８】本発明を適用した養生シートの固定方法において、内側シャフトの先端部側を本端部の先端部側に近づける方向に相対移動する手順を説明するための図である。
【図９】本発明を適用した養生シートの固定方法において、本体部の空間に装填した鋲を本体部の先端部から突出させた状態を示す図である。
【図１０】本発明を適用した養生シートの固定方法において、鋲の先端部に養生シートを取り付けた状態を示す図である。
【図１１】本発明を適用した養生シートの固定方法において、作業者が取手部を握持した状態を示す図である。
【図１２】本発明を適用した養生シートの固定方法において、（ａ）は、保護部の先端部を天井に押し当てた状態を示す図であり、（ｂ）は、（ａ）の状態からさらに本体部の先端部を天井に押し当てた状態を示す図である。
【図１３】本発明を適用した養生シートの固定方法において、本体部の先端部を天井から離間させた状態を示す図である。
【図１４】長孔に間隔保持部材を設けた鋲の打込み装置を示す図である。
【図１５】本発明を適用した鋲の撤去装置を示す斜視図である。
【図１６】本発明を適用した養生シートの撤去方法を説明するための図であり、（ａ）は、鋲を取り外す前の状態を示す図であり、（ｂ）は、鋲を取り外した後の状態を示す図である。
【発明を実施するための形態】
【００３３】
以下、本発明を適用した鋲の打込み装置を実施するための形態について、図面を参照しながら詳細に説明する。
【００３４】
図１（ａ）は、養生シート８が鋲７を介して天井９に固定された室内Ａを示す立面図であり、図１（ｂ）は、図１（ａ）の１Ａ−１Ａ断面図である。
【００３５】
オフィスや住宅等の建築物において、室内Ａの一部で補修工事等の工事が行われる際には、オフィスワーカーや居住者等の活動を阻害することなく共用しながら行われる。このとき、建築物の室内Ａをポリエチレンフィルム等の養生シート８により、工事側となる区画の内側Ｉと、居住側等となる区画の外側Ｊとに隔てる区画養生を行う必要がある。室内Ａが養生シート８により区画の内側Ｉと区画の外側Ｊとに隔てられることにより、工事側となる区画の内側Ｉで行われる補修工事等に伴って発生する埃や粉塵等が、居住側等となる区画の外側Ｊに飛散するのを防止することができる。養生シート８は、鋲７を介して天井９に固定されており、天井９に固定された養生シート８が床９１まで垂れ下がっている。この天井９は、例えば、ロックウール吸音板等の天井材が用いられる。
【００３６】
鋲７は、天井９に差し込まれる先端部７ａと、天井９から露出される円柱状の頭部７ｂとを有する。なお、頭部７ｂは、これに限らず、角柱状等に形成されてもよい。先端部７ａは、例えば、金属製のものが用いられ、頭部７ｂは、例えば、樹脂製のものが用いられるが、これらの材質は如何なる材質であってもよい。
【００３７】
鋲７は、頭部７ｂに被係止部７１が形成される。被係止部７１は、頭部７ｂの中央部が頭部７ｂの端部よりも縮径されて形成されるが、これに限らず、規則的又は不規則な拡径又は縮径されて形成されてもよい。天井９に鋲７を固定する際には、本発明を適用した鋲の打込み装置１が用いられる。
【００３８】
図２は、本発明を適用した鋲の打込み装置１を示す斜視図である。図３は、本発明を適用した鋲の打込み装置１の本体部２と、内側シャフト３と、保護部４とを主に示す断面図である。図４は、図３の３Ａ−３Ａ断面図である。本発明を適用した鋲の打込み装置１は、図２に示すように、本体部２と、内側シャフト３と、保護部４と、取手部５とを備える。
【００３９】
内側シャフト３は、円柱状に形成されるが、これに限らず、角柱状、筒状等の棒状に形成されてもよい。ここで、内側シャフト３の長手方向を第１方向Ｘとし、第１方向Ｘに直交する方向を第２方向Ｙとする。内側シャフト３は、例えば、アルミニウム等の金属製のものが用いられるが、これに限らず、樹脂製等の如何なる材質のものが用いられてもよい。
【００４０】
本体部２は、図３に示すように、第１方向Ｘの先端部２ａから基端部２ｂまで延びる空間Ｖが内部に形成される。本体部２の空間Ｖには、内側シャフト３が第１方向Ｘに向けて相対移動可能に挿通される。本体部２は、例えば、樹脂製のものが用いられるが、これに限らず、金属製等の如何なる材質のものが用いられてもよい。
【００４１】
本体部２は、空間Ｖを囲う筒状の本体筒状部２１と、本体筒状部２１に設けられる収容部２２と、本体筒状部２１を挟んで収容部２２の反対側に設けられる本体突設部２３と、収容部２２に収容した鋲７を空間Ｖに装填するための装填機構２４を有する。
【００４２】
本体筒状部２１は、先端部２１ａ（本体部２の先端部２ａ）側の外径が基端部２１ｂ（本体部２の基端部２ｂ）側の外径よりも径小とされており、外面に外面段差部２１１が形成される。本体筒状部２１は、外面段差部２１１よりも基端部２１ｂ側に、第１方向Ｘに向けて延びる長孔２１２が形成される。長孔２１２には、ナット４９が嵌め込まれており、ナット４９は、長孔２１２に嵌め込まれた状態で回転できない、又は、ほとんど回転しないものとなる。
【００４３】
収容部２２は、図３及び図４に示すように、本体筒状部２１が設けられる端部とは反対側の端部に開口部２２ａが形成され、開口部２２ａから鋲７を収容可能に構成される。収容部２２は、空間Ｖに連続して設けられ、収容した鋲７が装填機構２４により空間Ｖに装填される。収容部２２は、第１方向Ｘに延びる一対の側壁部２２１と、一対の側壁部２２１を連結する端部壁２２２ａと、端部壁２２２ｂとを有する。側壁部２２１は、開口部２２ａから本体筒状部２１に向けて矩形状に切り欠かれた切欠部２２１ａが形成される。
【００４４】
本体突設部２３は、本体筒状部２１から第２方向Ｙに向けて突設されており、窪み部２３ａが形成される。
【００４５】
装填機構２４は、図４に示すように、収容部２２を挟んで両側に配置される一対の弾性部材２４１と、一対の弾性部材２４１を互い連結する連結部材２４２と、連結部材２４３とを有する。弾性部材２４１は、第２方向Ｙに向けて配置されるバネ等が用いられるが、弾性力を有するものであれば如何なるものが用いられてもよい。また一方の連結部材２４２は、棒状に形成され、一対の側壁部２２１の各々の切欠部２２１ａに架け渡されるように配置される。他方の連結部材２４３は、棒状に形成され、本体突設部２３の窪み部２３ａに嵌め込まれて固定される。
【００４６】
一対の弾性部材２４１は、一対の連結部材２４２、２４３が互いに近づくように引張力が作用した状態となっている。また、装填機構２４は、収容部２２に鋲７が収容されたとき、最も開口部２２ａに近接した鋲７の頭部７ｂの被係止部７１に一方の連結部材２４２が嵌め込まれた状態となる。
【００４７】
保護部４は、図３に示すように、本体部２の先端部２ａから第１方向Ｘに突出されるとともに本体部２の先端部２ａを囲う筒状に形成される。保護部４は、例えば、樹脂製のものが用いられるが、これに限らず、金属製等の如何なる材質のものが用いられてもよい。保護部４の外面には、養生シート８を挟み込むための挟み込み部４１を有する。挟み込み部４１は、保護部４の外面から第１方向Ｘに対して傾斜するように突設された上で、第１方向Ｘに略平行して保護部４の先端部４ａ側に向けて折り曲げられて形成される。
【００４８】
保護部４は、先端部４ａ側の内径が基端部４ｂ側の内径よりも径小とされており、内面に内面段差部４２が形成される。保護部４の内面段差部４２と本体筒状部２１の外面段差部２１１との間には、弾性体２９が設けられる。弾性体２９は、例えば、バネが用いられるが、弾性力を有するものであれば如何なるものが用いられてもよい。弾性体２９は、本体部２の先端部２ａ側を囲うように配置される。保護部４の先端部４ａと本体部２の先端部２ａとを互いに近づく方向に第１方向Ｘに相対移動させることで、弾性体２９が縮むように弾性変形するため、保護部４は、弾性体２９により本体部２に対して第１方向Ｘに向けて相対移動可能となる。
【００４９】
保護部４は、外面に形成される貫通孔４７にボルト４８が貫通され、本体筒状部２１の長孔２１２に嵌め込まれたナット４９にこのボルト４８が螺着されることで、本体筒状部２１に取り付けられる。ボルト４８は、その軸の先端部４８ａを内側シャフト３に係止させることで、内側シャフト３及び保護部４が本体部２に対して第１方向Ｘに相対移動するのを止めることができる。
【００５０】
図５（ａ）は、本発明を適用した鋲の打込み装置１の内側シャフト３と、取手部５とを主に示す断面図であり、図５（ｂ）は、図５（ａ）の５Ａ−５Ａ断面図である。取手部５は、内側シャフト３の基端部３ｂ側に取付部材６を介して取り付けられる。取手部５は、長手方向が第１方向Ｘに延びて筒状、柱状等の棒状に形成される。取手部５は、例えば、アルミニウム等の金属製のものが用いられるが、これに限らず、樹脂製等の如何なる材質のものが用いられてもよい。取手部５は、伸縮機構５１を介して第１方向Ｘに伸縮可能である。なお、図示の形態において、伸縮機構５１は、取手部５に１つ設けられるが、伸縮機構５１は複数設けられてもよいし、省略されてもよい。
【００５１】
取手部５は、先端部５ａ側が取付部材６を介して内側シャフト３の基端部３ｂ側に取り付けられる。取付部材６は、先端部６ａ側が筒状に形成され、基端部６ｂ側が先端部６ａよりも縮径された柱状に形成される。取付部材６は、筒状の先端部６ａ側に内側シャフト３が挿通されてボルト６１により、内側シャフト３に取り付けられる。また、取付部材６は、柱状の基端部６ｂ側が筒状の取手部５に挿通されてボルト６２により、取手部５に取り付けられる。なお、取手部５は、取付部材６を介して内側シャフト３に取り付けられる形態を図示しているが、取付部材６を省略して内側シャフト３の基端部３ｂ側に取手部５の先端部５ａ側が直接取り付けられてもよい。
【００５２】
取手部５は、基端部５ｂにＵ字状に形成される係止部５２を有する。係止部５２は、鋲７の頭部７ｂ又は鋲７の被係止部７１を係止するものであれば、Ｕ字状に形成されるものに限らず、Ｖ字状、溝状等の如何なる形状で形成されてもよい。
【００５３】
次に、本発明を適用した養生シートの固定方法について説明する。本発明を適用した養生シートの固定方法では、本発明を適用した鋲の打込み装置１を用いる。
【００５４】
養生シートの固定方法では、図６に示すように、鋲の打込み装置１の本体部２の収容部２２に複数の鋲７を収容した状態から開始する。このとき、内側シャフト３の先端部３ａが本体部２の先端部２ａ側に所定の距離だけ離間するように配置された状態となっている。また、ボルト４８の先端部４８ａを内側シャフト３から離間させておく。
【００５５】
養生シートの固定方法では、内側シャフト３の先端部３ａが本体部２の先端部２ａ側に配置された状態から、内側シャフト３の先端部３ａを本体部２の先端部２ａから離間させる方向に向けて（図中矢印Ｐ方向に向けて）作業者が手動で相対移動する。
【００５６】
そして、図７に示すように、内側シャフト３の先端部３ａを収容部２２の端部壁２２２ｂまで相対移動することで、予め引張力が作用した状態で配置された一対の弾性部材２４１に連結された一方の連結部材２４２が、弾性部材２４１の引張力に基づいて他方の連結部材２４３に向けて（図中矢印Ｑ方向に向けて）移動する。このとき、収容部２２に収容された複数の鋲７も図中矢印Ｑ方向に向けて移動する。そして、図８に示すように、内側シャフト３が配置されていた空間Ｖに、鋲７が１つ装填されるとともに、内側シャフト３の先端部３ａ側に配置されることとなる。
【００５７】
このようにして、内側シャフト３の先端部３ａを収容部２２の端部壁２２２ｂまで本体部２の先端部２ａから離間させる方向に相対移動することで、収容部２２に収容された鋲７を空間Ｖに装填機構２４により装填するとともに、内側シャフト３の先端部３ａ側に配置する。
【００５８】
次に、養生シートの固定方法では、内側シャフト３の先端部３ａを本体部２の先端部２ａに近づける方向に（図中矢印Ｒ方向に向けて）相対移動する。内側シャフト３の先端部３ａを本体部２の先端部２ａに向けて（図中矢印Ｒ方向に向けて）相対移動することで、図９に示すように、空間Ｖに装填した鋲７を本体部２の先端部２ａから突出させる。このとき、鋲７の先端部７ａが本体部２の先端部２ａから突出されており、鋲７の頭部７ｂが空間Ｖに配置された状態となっている。また、鋲７の先端部７ａが、保護部４の先端部４ａからもわずかに突出された状態となる。さらに、取手部５の先端部５ａに取り付けられた取付部材６の先端部６ａを本体部２の基端部２ｂに当接させることで、内側シャフト３の先端部３ａが本体部２の先端部２ａに対して相対移動するのを止めることができる。なお、取付部材６が省略される場合には、取手部５の先端部５ａを本体部２の基端部２ｂに当接させて、内側シャフト３の先端部３ａが本体部２の先端部２ａに対して相対移動するのを止めるようにしてもよい。
【００５９】
次に、養生シートの固定方法では、図１０に示すように、本体部２の先端部２ａから突出した鋲７の先端部７ａに、養生シート８を取り付ける。このように、本体部２の先端部２ａから鋲７の先端部７ａを突出させておくことで、養生シート８の取り付けを容易に行うことが可能となる。また、本体部２の先端部２ａを囲う筒状の保護部４が本体部２の先端部２ａから突出されるとともに、本体部２に相対移動可能に取り付けられることで、鋲７の先端部７ａが外側に露出する長さを短く又は無くすことができ、作業者が鋲７の先端部７ａに養生シート８を取り付ける際に、作業者が鋲７の先端部７ａに触れることによる怪我を抑制することが可能となる。さらに、保護部４の先端部４ａから鋲７の先端部７ａをわずかに突出させておくことにより、養生シート８の取り付けを容易に行うことが可能となりながら、作業者が鋲７の先端部７ａに養生シート８を取り付ける際に、作業者が先端部７ａに触れることによる怪我を抑制することが可能となる。
【００６０】
また、鋲７の先端部７ａに養生シート８を取り付ける際には、養生シート８の端部側を手繰り寄せて予め幾重にも重ねて重なり部８１を形成し、養生シート８の重なり部８１を鋲７の先端部７ａに取り付けるとともに、養生シート８の重なり部８１を保護部４の挟み込み部４１に挟み込む。養生シート８が挟み込み部４１に挟み込まれることにより、鋲７の先端部７ａから養生シート８が脱落するのを抑制することが可能となる。
【００６１】
次に、養生シートの固定方法では、養生シート８を取り付けた鋲７を天井９に押し込む。鋲７を天井９に押し込む際には、図１１に示すように、作業者が第１方向Ｘに延びる取手部５の基端部５ｂ側を握持する。これにより、養生シートの固定方法では、作業者の身長よりも高い位置に配置される天井９に鋲７を押し込む場合であっても、脚立作業をすることなく作業者の負担を軽減させることが可能となる。また、天井９の高さに応じて、取手部５の伸縮機構５１により取手部５の第１方向Ｘにおける長さを変えればよい。
【００６２】
そして、養生シートの固定方法では、図１２（ａ）に示すように、内側シャフト３の長手方向（第１方向Ｘ）を上方Ｕに向けることで本体部２の先端部２ａが上向きになるようにする。本体部２の先端部２ａを上向きにした状態で、取手部５を上方Ｕに向けて移動させて、養生シート８を取り付けた鋲７の先端部７ａを天井９に押し込む。養生シート８を取り付けた鋲７を天井９に押し込むことで、保護部４の先端部４ａが養生シート８を挟んで天井９に押し当てられる。
【００６３】
そして、図１２（ｂ）に示すように、さらに上方Ｕに向けて押し込むことで、保護部４の先端部４ａが天井９に押し当てられた状態で、保護部４の内側に配置された弾性体２９が縮むように弾性変形して、本体部２の先端部２ａが保護部４の先端部４ａに向けて（図中矢印Ｓ方向に向けて）相対移動する。これにより、本体部２の先端部２ａの高さを保護部４の先端部４ａの高さに略一致するまで近接させ、保護部４の先端部４ａと本体部２の先端部２ａとが天井９に押し当てられることとなり、鋲７の先端部７ａが天井９にさらに押し込まれて、鋲７を天井９に固定することができる。また、長孔２１２が第１方向Ｘに延びて形成されるため、本体部２の先端部２ａが保護部４の先端部４ａに向けて（図中矢印Ｓ方向に向けて）相対移動する際に、ナット４９が長孔２１２に対して相対移動することとなり、ナット４９が本体部２に接触するのを防止できる。
【００６４】
そして、図１３に示すように、作業者は取手部５を下方Ｄに向けて移動させることで、本体部２の先端部２ａを天井９から離間させ、空間Ｖに配置されていた鋲７の頭部７ｂが空間Ｖから脱離することとなる。このようにして、天井９に養生シート８を鋲７を介して固定することができる。また、本体部２の先端部２ａを天井９から離間させるように下方Ｄに向けて移動させることで、縮むように弾性変形していた弾性体２９が弾性力に基づいて伸長して元の状態に戻り、略一致するまで近接させていた本体部２の先端部２ａが保護部４の先端部４ａから離間する方向に向けて（図中矢印Ｔ方向に向けて）相対移動して、鋲７を押し込む前の状態となる。
【００６５】
鋲７を天井９に押し込んだ後には、内側シャフト３の先端部３ａが本体部２の先端部２ａ側に配置された状態となる。また、収容部２２には複数の鋲７が収容されている。したがって、上述した手順を繰り返して天井９に鋲７を介して養生シート８を固定することで、区画の内側Ｉと、区画の外側Ｊとを養生シート８により隔てる区画養生が完了する。区画養生が完了した後、ボルト４８の先端部４８ａを内側シャフト３に係止させて、内側シャフト３及び保護部４が本体部２に対して第１方向Ｘに相対移動するのを止める。
【００６６】
次に、本発明を適用した鋲の打込み装置１と、本発明を適用した養生シートの固定方法との作用効果について説明する。
【００６７】
鋲の打込み装置１によれば、内側シャフト３の先端部３ａを本体部２の先端部２ａから離間させる方向に相対移動させることで、収容部２２に収容された鋲７が空間Ｖに装填されるとともに内側シャフト３の先端部３ａ側に配置され、かつ、内側シャフト３の先端部３ａを本体部２の先端部２ａに近づける方向に相対移動させることで、空間Ｖに装填された鋲７が本体部２の先端部２ａから突出される。このため、鋲の打込み装置１によれば、鋲７を天井９に押し込むだけで養生シート８を固定することができ、天井９に養生シート８を固定する際の騒音を著しく抑制することが可能となる。即ち、鋲の打込み装置１は、従来のハンドタッカーのようにトリガーを引いて内部のバネの弾性力を鋲に伝達して打ち込むのではなく、単に鋲７を天井９に押し込むことにより養生シート８を天井９に固定することができるため、騒音を著しく抑制することが可能となる。
【００６８】
また、鋲の打込み装置１によれば、養生シート８と鋲７とを用いることで区画養生を行うことができ、従来の養生方法のような弾性柱を用いる必要がないため、作業者の負担を軽減することが可能となる。また、鋲の打込み装置１によれば、従来のハンドタッカーのように針を打ち付けるためにトリガーを引く動作を行うことがないため、作業者の負担を軽減することが可能となる。また、鋲の打込み装置１によれば、軽量な金属、樹脂等を用いて構成することで、従来のハンドタッカーの重量よりも軽くすることができ、作業者の負担を軽減することが可能となる。
【００６９】
また、鋲の打込み装置１によれば、収容部２２に複数の鋲７が収容される場合には、鋲７を天井９に押し込んだ後、再度内側シャフト３の先端部３ａを本体部２の先端部２ａから離間させる方向に相対移動させることで空間Ｖに鋲７を装填し、内側シャフト３の先端部３ａを本体部２の先端部２ａに近づける方向に相対移動させることで、空間Ｖに装填した鋲７を本体部２の先端部２ａから突出させることができる。このため、鋲の打込み装置１によれば、収容部２２に複数の鋲７が収容される場合には、繰り返し天井９に鋲７を押し込む作業を行うことができ、より容易に施工を行うことが可能となる。
【００７０】
鋲の打込み装置１によれば、本体部２の先端部２ａから突出されるとともに本体部２の先端部２ａを囲う筒状の保護部４を備え、保護部４は、本体部２に相対移動可能に取り付けられる。これにより、鋲の打込み装置１によれば、鋲７の先端部７ａが外側に露出する長さを短く又は無くすことができ、作業者が鋲７の先端部７ａに養生シート８を取り付ける際に、作業者が鋲７の先端部７ａに触れることによる怪我を抑制することが可能となる。さらに、鋲の打込み装置１によれば、内側シャフト３の先端部３ａを本体部２の先端部２ａに近づける方向に相対移動させることで、空間Ｖに装填された鋲７が保護部４の先端部４ａから突出される。このため、鋲の打込み装置１によれば、鋲７の先端部７ａに養生シート８を取り付ける作業を容易に行うことが可能となりながら、作業者が鋲７の先端部７ａに養生シート８を取り付ける際に、作業者が鋲７の先端部７ａに触れることによる怪我を抑制することが可能となる。
【００７１】
鋲の打込み装置１によれば、養生シート８を挟み込むための挟み込み部４１を有する保護部４を備える。これにより、鋲の打込み装置１によれば、養生シート８を保護部４の挟み込み部４１に挟み込むことができ、鋲７の先端部７ａに養生シート８を取り付ける際や鋲７を天井９に押し込む際に、鋲７の先端部７ａから養生シート８が脱落するのを抑制することが可能となる。
【００７２】
鋲の打込み装置１によれば、養生シート８の重なり部８１を鋲７の先端部７ａに取り付けることにより、鋲７を介して固定された養生シート８の重なり部８１と天井９との間に隙間が生じづらくなり、補修工事等の工事により発生する埃、粉塵や騒音が区画の内側Ｉから区画の外側Ｊに飛散するのをより効果的に防止することが可能となる。
【００７３】
鋲の打込み装置１によれば、内側シャフト３の基端部３ｂ側に取り付けられる取手部５を備える。これにより、鋲の打込み装置１は、作業者が取手部５を握持した状態で、鋲７を天井９に押し込むだけで養生シート８を固定することができる。また、鋲の打込み装置１によれば、作業者の身長よりも高い位置に配置される天井９に鋲７を押し込む際に、脚立作業をすることなく作業者の負担を軽減することが可能となる。
【００７４】
鋲の打込み装置１によれば、取手部５が伸縮機構５１を有することにより、取手部５の長手方向の長さを自在に変えることができる。これにより、鋲の打込み装置１によれば、天井９の高さに応じて自在に取手部５の長手方向の長さを変えることができ、天井９に鋲７を押し込む作業をより容易に行うことが可能となる。
【００７５】
鋲の打込み装置１によれば、収容部２２に鋲７が収容されたとき、一方の連結部材２４２が一対の側壁部２２１の各々の切欠部２２１ａに架け渡されるように配置される。これにより、鋲の打込み装置１によれば、例えば、鋲７の先端部７ａに養生シート８を取り付ける際や鋲７を天井９に押し込む際に、収容部２２に収容した鋲７が収容部２２から脱落するのを防止することが可能となる。特に、鋲の打込み装置１によれば、収容部２２に鋲７が収容されたとき、鋲７の頭部７ｂの中央部を窪ませて形成された被係止部７１に一方の連結部材２４２が嵌め込まれることにより、鋲７が収容部２２から脱落するのを強固に防止することが可能となる。
【００７６】
鋲の打込み装置１によれば、ボルト４８の先端部４８ａを内側シャフト３に係止させることにより、内側シャフト３及び保護部４が本体部２に対して第１方向Ｘに相対移動するのを止めることができる。
【００７７】
養生シートの固定方法によれば、養生シート８を取り付けた鋲７を天井９に押し込むだけで天井９に養生シート８を固定することができ、天井９に養生シート８を固定する際の騒音を著しく抑制することが可能となる。
【００７８】
養生シートの固定方法によれば、空間Ｖに装填した鋲７を本体部２の先端部２ａから突出させた後に、養生シート８の重なり部８１を鋲７の先端部７ａに取り付け、養生シート８の重なり部８１を取り付けた鋲７を天井９に押し込む。これにより、養生シートの固定方法によれば、鋲７を介して固定された養生シート８の重なり部８１と天井９との間に隙間が生じづらくなり、補修工事等の工事により発生する埃、粉塵や騒音が区画の内側Ｉから区画の外側Ｊに飛散、伝達するのをより効果的に防止することが可能となる。
【００７９】
図１４は、長孔２１２に間隔保持部材４５を設けた鋲の打込み装置１を示す図である。鋲の打込み装置１は、本体筒状部２１の長孔２１２の先端部２１２ａにナット等の間隔保持部材４５が設けられる。間隔保持部材４５の第１方向Ｘにおける長さを適宜調整することで、本体部２の先端部２ａから保護部４の先端部４ａまでの離間距離を適宜調整することができる。このため、保護部４の先端部４ａから第１方向Ｘに突出させる鋲７の先端部７ａの長さを、適宜調整することが可能となる。
【００８０】
例えば、長孔２１２の先端部２１２ａに間隔保持部材４５を設けて、保護部４の先端部４ａから第１方向Ｘに突出させる鋲７の先端部７ａの長さを所定の長さ分だけ確保するように本体部２の先端部２ａから保護部４の先端部４ａまでの離間距離を調整することで、鋲７の先端部７ａに養生シート８をより取り付け易くすることが可能となり、その結果、施工性を向上させることが可能となる。
【００８１】
例えば、長孔２１２の先端部２１２ａに間隔保持部材４５を設けて、保護部４の先端部４ａから第１方向Ｘに突出させないように本体部２の先端部２ａから保護部４の先端部４ａまでの離間距離を調整することで、作業者等が鋲７の先端部７ａに養生シート８を取り付ける際に、作業者等が鋲７の先端部７ａに触れることによる怪我を著しく抑制することが可能となる。
【００８２】
なお、上述した実施形態における鋲の打込み装置１は、保護部４を備えるものとしていたが、本発明に係る鋲の打込み装置は、保護部が省略されてもよい。
【００８３】
次に、本発明を適用した養生シートの撤去方法について説明する。本発明を適用した養生シートの撤去方法では、本発明を適用した鋲の撤去装置１００を用いる。
【００８４】
図１５は、本発明を適用した鋲の撤去装置１００を示す斜視図である。図１５に示すように、本発明を適用した鋲の撤去装置１００は、棒状の取手部５を備え、取手部５は、鋲７の頭部７ｂを係止するための係止部５２を有する。取手部５は、図中の第１方向Ｘを長手方向として延びて形成される。なお、必要に応じて、取手部５は、伸縮機構５１を有していてもよい。
【００８５】
養生シートの撤去方法では、図１６（ａ）に示すように、天井９に鋲７を介して養生シート８が固定された状態から開始する。養生シートの撤去方法では、天井９に固定した鋲７の頭部７ｂの被係止部７１に、棒状の取手部５に設けられた係止部５２を係止させる。そして、図１６（ｂ）に示すように、鋲７の頭部７ｂの被係止部７１に、係止部５２を係止させた状態で、取手部５を下方Ｄに向けて移動させることで、天井９から鋲７を下方Ｄに引き抜いて取り外す。この作業を繰り返すことで、養生シート８の撤去が完了する。
【００８６】
上述した形態における養生シートの撤去方法は、本発明を適用した鋲の撤去装置１００が用いられる形態について説明したが、これに限らず、本発明を適用した鋲の打込み装置１が用いられてもよい。
【００８７】
本発明を適用した養生シートの撤去方法は、鋲の打込み装置１を用いる場合であっても上述した手順と同様に行うことができる。即ち、養生シートの撤去方法では、図１６（ａ）に示すように、天井９に固定した鋲７の頭部７ｂの被係止部７１に、棒状の取手部５に設けられた係止部５２を係止させる。そして、図１６（ｂ）に示すように、鋲７の頭部７ｂの被係止部７１に、係止部５２を係止させた状態で、取手部５を下方Ｄに向けて移動させることで、天井９から鋲７を下方Ｄに引き抜いて取り外す。この作業を繰り返すことで、養生シート８の撤去が完了する。
【００８８】
なお、図示は省略するが、鋲７の被係止部７１に取手部５の係止部５２を係止させる際や取手部５を下方Ｄに向けて移動させる際には、作業者が第１方向Ｘに延びる取手部５の先端部５ａ側を持って行うことが好ましい。これにより、養生シートの撤去方法では、作業者の身長よりも高い位置に配置される天井９から鋲７を取り外す場合であっても、脚立作業をすることなく作業者の負担を軽減させることが可能となる。なお、鋲の打込み装置１を用いる場合には、作業者が握持するのは取手部５に限らず、本体部２、内側シャフト３、保護部４等であってもよい。
【００８９】
養生シートの撤去方法によれば、鋲の撤去装置１００を用いる場合であっても、鋲の打込み装置１を用いる場合であっても、養生シート８を天井９に固定した鋲７の頭部７ｂに係止させた状態で、天井９から鋲７を取り外すだけでよく、養生シート８の撤去を容易に行うことができ、作業者の負担を軽減することが可能となる。また、養生シートの撤去方法によれば、養生シート８を天井９に固定した鋲７の頭部７ｂを係止部５２に係止させた状態で鋲７を引き抜けばよいため、天井９から鋲７を取り外す際の騒音を著しく抑制することが可能となる。
【００９０】
養生シートの撤去方法によれば、養生シート８を天井９に固定した鋲７の頭部７ｂの中央部が縮径された被係止部７１を有することで、被係止部７１に係止部５２を係止する作業を容易に行うことが可能となる。また、被係止部７１に係止部５２を係止させた状態で、取手部５を下方Ｄに移動させることにより係止部５２に作用させた下方Ｄへの引き抜く力を鋲７に十分に伝達させることができる。このため、天井９から鋲７を取り外す作業をより容易に行うことができ、作業者の負担を軽減させることが可能となる。
【００９１】
鋲の撤去装置１００及び鋲の打込み装置１によれば、取手部５に鋲７の頭部７ｂを係止するための係止部５２を有することにより、鋲７の頭部７ｂ又は鋲７の頭部７ｂの被係止部７１に係止部５２を係止する作業を容易に行うことができ、その結果、作業者の負担を軽減させることが可能となる。特に、鋲７の頭部７ｂの被係止部７１に係止部５２を係止させた状態で、取手部５を下方Ｄに移動させることにより係止部５２に作用させた下方Ｄへの引き抜く力を鋲７に十分に伝達させることができる。このため、鋲の撤去装置１００及び鋲の打込み装置１によれば、天井９から鋲７を取り外す作業をより容易に行うことができ、その結果、作業者の負担を著しく軽減させることが可能となる。
【００９２】
鋲の打込み装置１によれば、本体部２と、内側シャフト３と、取手部５とを備え、取手部５が鋲７の頭部７ｂを係止するための係止部５２を有することにより、養生シート８の固定と撤去とを１台で行うことができ、施工の利便性を向上させることが可能となる。もちろん、鋲の打込み装置１は、保護部４、取付部材６を備えていてもよい。
【００９３】
また、鋲の打込み装置１における取手部５の係止部５２を省略した場合には、養生シート８の固定については鋲の打込み装置１を用いて行い、養生シート８の撤去については鋲の撤去装置１００を用いて行えばよい。
【００９４】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００９５】
１        ：打込み装置
２        ：本体部
２ａ      ：本体部の先端部
２ｂ      ：本体部の基端部
２１      ：本体筒状部
２１ａ    ：本体筒状部の先端部
２１ｂ    ：本体筒状部の基端部
２１１    ：外面段差部
２１２    ：長孔
２１２ａ  ：先端部
２２      ：収容部
２２ａ    ：開口部
２２１    ：側壁部
２２１ａ  ：切欠部
２２２ａ  ：端部壁
２２２ｂ  ：端部壁
２３      ：本体突設部
２３ａ    ：窪み部
２４      ：装填機構
２４１    ：弾性部材
２４２    ：連結部材
２４３    ：連結部材
２９      ：弾性体
３        ：内側シャフト
３ａ      ：内側シャフトの先端部
３ｂ      ：内側シャフト基端部
４        ：保護部
４ａ      ：保護部の先端部
４ｂ      ：保護部の基端部
４１      ：挟み込み部
４２      ：内面段差部
４５      ：間隔保持部材
５        ：取手部
５ａ      ：取手部の先端部
５ｂ      ：取手部の基端部
５１      ：伸縮機構
５２      ：係止部
６        ：取付部材
６ａ      ：取付部材の先端部
６ｂ      ：取付部材の基端部
７        ：鋲
７ａ      ：鋲の先端部
７ｂ      ：鋲の頭部
７１      ：被係止部
８        ：養生シート
９        ：天井
６１      ：ボルト
６２      ：ボルト
１００    ：鋲の撤去装置
Ｖ        ：空間
Ｘ        ：第１方向
Ｙ        ：第２方向
【図１】
2019082072.tif 000003
【図２】
2019082072.tif 000004
【図３】
2019082072.tif 000005
【図４】
2019082072.tif 000006
【図５】
2019082072.tif 000007
【図６】
2019082072.tif 000008
【図７】
2019082072.tif 000009
【図８】
2019082072.tif 000010
【図９】
2019082072.tif 000011
【図１０】
2019082072.tif 000012
【図１１】
2019082072.tif 000013
【図１２】
2019082072.tif 000014
【図１３】
2019082072.tif 000015
【図１４】
2019082072.tif 000016
【図１５】
2019082072.tif 000017
【図１６】
2019082072.tif 000018